(57)【要約】【課題】本発明は、回線状態によって伝送路帯域が変化する回線に接続されるＱｏＳ機能付通信装置において、伝送路帯域の変化に応じて伝送路帯域情報をＱｏＳ機能部へ通知し、それを受け取ったＱｏＳ機能部は、ＱｏＳ動作モードを動的に変化させることによって、適切なＱｏＳをサポートすることを特徴としている。【解決手段】  本発明のＱｏＳ機能付通信装置は、外部の端末からデータを受信する端末ＩＮＦと、前記端末ＩＮＦからのデータに対しＱｏＳ（Ｑｕａｌｉｔｙ  ｏｆ  Ｓｅｒｖｉｃｅ）制御を行うＱｏＳ処理部と、伝送路状態を監視し、前記伝送路状態に応じた伝送路帯域を確保し、前記ＱｏＳ処理部に伝送路帯域情報を提供する伝送路ＩＮＦとを具備する。【選択図】        図２
2006245952.tif 000002
【特許請求の範囲】
【請求項１】
伝送路に接続され、前記伝送路の状態を監視し、前記伝送路の状態に応じた伝送路帯域を確保し、前記確保された伝送路帯域を示す伝送路帯域情報を生成する伝送路インタフェースと、
前記伝送路インタフェースに接続され、前記伝送路に送出されるデータを前記伝送路インタフェースに送信する時、前記伝送路帯域情報に基づいてＱｏＳ（Ｑｕａｌｉｔｙ  ｏｆ  Ｓｅｒｖｉｃｅ）制御を行うＱｏＳ処理部と
を具備する
ＱｏＳ機能付通信装置。
【請求項２】
請求項１に記載のＱｏＳ機能付通信装置において、
端末から前記データを受信し、通信速度制御及びフロー制御を行い、前記データを前記ＱｏＳ処理部に送信する端末インタフェースを更に具備する
ＱｏＳ機能付通信装置。
【請求項３】
端末に接続され、前記端末からデータを受信する端末インタフェースと、
前記端末インタフェースからのデータに対して、伝送路帯域情報に基づいてＱｏＳ制御を行うＱｏＳ処理部と、
伝送路に接続され、前記伝送路の状態を監視し、前記伝送路の状態に応じた伝送路帯域を確保し、前記確保された伝送路帯域を示す前記伝送路帯域情報を前記ＱｏＳ処理部に提供し、前記ＱｏＳ処理部からのデータを前記伝送路に送出する伝送路インタフェースと
を具備する
ＱｏＳ機能付通信装置。
【請求項４】
請求項１乃至３のいずれか一項に記載のＱｏＳ機能付通信装置において、
前記伝送路インタフェースから提供された前記伝送路帯域情報に基づいて前記データのデータフォーマット変換を行う変換部を更に具備する
ＱｏＳ機能付通信装置。
【請求項５】
請求項１乃至３のいずれか一項に記載のＱｏＳ機能付通信装置において、
複数の伝送路をまとめて１本の論理的伝送路とするため伝送路間の遅延時間補正処理を行うバルク処理部を更に具備する
ＱｏＳ機能付通信装置。
【請求項６】
請求項１乃至３のいずれか一項に記載のＱｏＳ機能付通信装置において、
前記データを変復調するＭＯＤＥＭ部を更に具備する
ＱｏＳ機能付通信装置。
【請求項７】
請求項５に記載のＱｏＳ機能付通信装置において、
前記バルク処理部は、前記伝送路インタフェース部と連携して前記伝送路状態を監視し、使用可能な伝送路の選択を行い、確保できた伝送路帯域の量を前記伝送路帯域情報として前記ＱｏＳ処理部に提供する
ＱｏＳ機能付通信装置。
【請求項８】
請求項６に記載のＱｏＳ機能付通信装置において、
前記ＭＯＤＥＭ部は、前記伝送路インタフェース部と連携して前記伝送路状態を監視し、使用可能な伝送路の選択を行い、確保できた伝送路帯域の量を前記伝送路帯域情報として前記ＱｏＳ処理部に提供する
ＱｏＳ機能付通信装置。
【請求項９】
請求項１乃至８のいずれか一項に記載のＱｏＳ機能付通信装置において、
前記伝送路インタフェース部は、複数の伝送路帯域を確保するよう動作し、各伝送路状態に応じて前記伝送路帯域情報を生成する
ＱｏＳ機能付通信装置。
【請求項１０】
伝送路の状態を監視し、前記伝送路の状態に応じた伝送路帯域を確保し、前記確保された伝送路帯域を示す伝送路帯域情報を生成するステップと、
前記伝送路に送出するデータに対して、前記伝送路帯域情報に基づいてＱｏＳ制御を行うステップと
を具備する
通信方法。
【請求項１１】
請求項１０に記載の通信方法において、
前記ＱｏＳ制御を行う前に、端末から前記データを受信し、通信速度制御及びフロー制御を行うステップを更に具備する
通信方法。
【請求項１２】
請求項１０又は１１に記載の通信方法において、
前記伝送路帯域情報に基づいて前記データのデータフォーマット変換を行うステップを更に具備する
通信方法。
【請求項１３】
請求項１０又は１１に記載の通信方法において、
複数の伝送路をまとめて１本の論理的伝送路とするため伝送路間の遅延時間補正処理を行うステップを更に具備する
通信方法。
【請求項１４】
請求項１０又は１１に記載の通信方法において、
前記データを変復調するステップを更に具備する
通信方法。
【請求項１５】
請求項１０乃至１４のいずれか一項に記載の通信方法において、
複数の伝送路帯域を確保するよう動作し、各伝送路状態に応じて前記伝送路帯域情報を生成するステップを更に具備する
通信方法。
【請求項１６】
請求項１０乃至１５のいずれか一項に記載の通信方法を、計算機に実行させるためのプログラム。
【発明の詳細な説明】
【技術分野】
【０００１】
本発明は、与えられた伝送路帯域で最適なＱｏＳを自動で提供できるＱｏＳ（Ｑｕａｌｉｔｙ  ｏｆ  Ｓｅｒｖｉｃｅ）機能付通信装置、通信方法及びプログラムに関する。
【背景技術】
【０００２】
インターネットを始めとするネットワークでは、トラフィックの増大や通信機器の故障といった周囲の環境の変化によって遅延やデータ損失が発生し、受信状態が時間とともに常に変化する。そのため、このようなネットワークにおいては、途中のネットワークでの影響を最小限におさえるために、送信側において途中のネットワークの状況によって、送るデータ量を適切に制御する必要がある。この制御をＱｏＳ（Ｑｕａｌｉｔｙ  ｏｆ  Ｓｅｒｖｉｃｅ）制御という。ＱｏＳとは、ネットワーク上で、ある特定の通信のための帯域を予約し、一定の通信速度を保証する技術及びサービスの総称を指す。
【０００３】
従来のＱｏＳをサポートする通信システムについて図１を参照して説明する。
図１に示すように、従来のＱｏＳをサポートする通信システムは、通信装置１、ＱｏＳ装置２を備える。
ＱｏＳ装置２は、通信装置１の外部に接続され、予め設定された伝送路帯域に合わせてＱｏＳ動作を行う。ここでいうＱｏＳ動作とは、例えば、伝送路の帯域を確保するため、外部から受信したデータの優先順位を判定し、優先順位の低いデータを破棄することである。なお、伝送路（ｃｈａｎｎｅｌ）とは、通信装置間のデータ通信において、データを伝送するための経路をいう。伝送路には、アナログ信号を伝送するためのアナログ伝送路（Ａｎａｌｏｇ  ｃｈａｎｎｅｌ）と、デジタル信号を伝送するためのデジタル伝送路（Ｄｉｇｉｔａｌ  ｃｈａｎｎｅｌ）が存在する。端末ＩＮＦ３はインタフェース（ｉｎｔｅｒｆａｃｅ）を終端し、伝送路側へのデータ受け渡しをする。伝送路ＩＮＦ５は伝送路インタフェースを終端し、伝送路状態に応じて通信に最適な伝送路帯域を確保する。伝送路ＩＮＦ５は確保した伝送路帯域の量を示す情報を端末ＩＮＦ３とＩＮＦ変換部４に供給する。端末ＩＮＦ３及びＩＮＦ変換部４は、供給された伝送路帯域情報をもとに動作モードを変更し、データ受け渡しを行う。なお、ＩＮＦはインタフェースを示す。
【０００４】
しかしながら、従来のＱｏＳをサポートする通信システムにおいては、次のような課題がある。
まず、回線状態の変化により伝送路帯域が変化しても、その情報が接続されているＱｏＳ装置に伝わらないため、ＱｏＳ装置は伝送路帯域変化前の設定のまま帯域制御動作を継続してしまい、適切なＱｏＳ動作ができなくなる。
また、ＱｏＳ装置に適切なＱｏＳ動作をさせるために人手を介しての設定変更の操作が必要であった。
【０００５】
回線状態の変化による通信エラーを生じさせないための従来技術として、ＶｏＩＰ通信において、ファクシミリ通信呼の通信エラーの発生や音声通信における音声途切れといったエラーの発生を防止する通信方式が知られている（特許文献１参照）。
この従来技術では、複数の通信端末装置が収容され、対向する装置との間でＶｏＩＰ通信を行うＶｏＩＰゲートウエイ装置において、通信呼が使用する通信形式の使用帯域容量を検出する使用帯域容量検出手段と、ＶｏＩＰゲートウエイ装置が利用可能な通信路帯域容量と通信呼毎の使用帯域容量とを対応付けて記録する使用帯域容量記憶手段と、帯域容量が通信可能な容量であるか否かを判定する通信可能判定手段と、ファクシミリ通信時の通信速度を対向する装置との間で交渉して通信形式を決定するとともに、帯域容量が通信の使用帯域容量を満たさないときにファクシミリ通信の速度を下げて通信可能判定手段に提示する通信形式決定手段が設けられている。
【０００６】
【特許文献１】特開２００２−１７６４３８号公報
【発明の開示】
【発明が解決しようとする課題】
【０００７】
本発明の目的は、伝送路帯域が変化した場合においても、伝送路帯域に応じたＱｏＳ（Ｑｕａｌｉｔｙ  ｏｆ  Ｓｅｒｖｉｃｅ）動作を自動的に行うことが可能なＱｏＳ機能付通信装置、通信方法及びプログラムを提供することである。
【課題を解決するための手段】
【０００８】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【０００９】
本発明のＱｏＳ機能付通信装置（１０，２０，３０）は、伝送路に接続され、前記伝送路の状態を監視し、前記伝送路の状態に応じた伝送路帯域を確保し、前記確保された伝送路帯域を示す伝送路帯域情報を生成する伝送路インタフェース（１４，２４，３４）と、前記伝送路インタフェース（１４，２４，３４）に接続され、前記伝送路に送出されるデータを前記伝送路インタフェース（１４，２４，３４）に送信する時、前記伝送路帯域情報に基づいてＱｏＳ（Ｑｕａｌｉｔｙ  ｏｆ  Ｓｅｒｖｉｃｅ）制御を行うＱｏＳ処理部（１２，２２，３２）とを具備する。
【００１０】
本発明のＱｏＳ機能付通信装置（１０，２０，３０）は、端末から前記データを受信し、通信速度制御及びフロー制御を行い、前記データを前記ＱｏＳ処理部に送信する端末インタフェース（１１，２１，３１）を更に具備する。
【００１１】
本発明のＱｏＳ機能付通信装置（１０，２０，３０）は、端末に接続され、前記端末からデータを受信する端末インタフェース（１１，２１，３１）と、前記端末インタフェース（１１，２１，３１）からのデータに対して、伝送路帯域情報に基づいてＱｏＳ制御を行うＱｏＳ処理部（１２，２２，３２）と、伝送路に接続され、前記伝送路の状態を監視し、前記伝送路の状態に応じた伝送路帯域を確保し、前記確保された伝送路帯域を示す前記伝送路帯域情報を前記ＱｏＳ処理部（１２，２２，３２）に提供し、前記ＱｏＳ処理部（１２，２２，３２）からのデータを前記伝送路に送出する伝送路インタフェース（１４，２４，３４）とを具備する。
【００１２】
本発明のＱｏＳ機能付通信装置（１０）は、前記伝送路インタフェース（１４）から提供された前記伝送路帯域情報に基づいて前記データのデータフォーマット変換を行う変換部（１３）を更に具備する。
【００１３】
本発明のＱｏＳ機能付通信装置（２０）は、複数の伝送路をまとめて１本の論理的伝送路とするため伝送路間の遅延時間補正処理を行うバルク処理部（２３）を更に具備する。
【００１４】
本発明のＱｏＳ機能付通信装置（３０）は、前記データを変復調するＭＯＤＥＭ部（３３）を更に具備する。
【００１５】
前記バルク処理部（２３）は、前記伝送路インタフェース（２４）と連携して前記伝送路状態を監視し、使用可能な伝送路の選択を行い、確保できた伝送路帯域の量を前記伝送路帯域情報として前記ＱｏＳ処理部（２２）に提供する。
【００１６】
前記ＭＯＤＥＭ部（３３）は、前記伝送路インタフェース（３４）部と連携して前記伝送路状態を監視し、使用可能な伝送路の選択を行い、確保できた伝送路帯域の量を前記伝送路帯域情報として前記ＱｏＳ処理部（３２）に提供する。
【００１７】
前記伝送路インタフェース（１４，２４，３４）部は、複数の伝送路帯域を確保するよう動作し、各伝送路状態に応じて複数の伝送路帯域を確保するよう動作し、各伝送路状態に応じて前記伝送路帯域情報を生成する。
【００１８】
本発明の通信方法は、伝送路の状態を監視し、前記伝送路の状態に応じた伝送路帯域を確保し、前記確保された伝送路帯域を示す伝送路帯域情報を生成するステップと、前記伝送路に送出するデータに対して、前記伝送路帯域情報に基づいてＱｏＳ制御を行うステップとを具備する
【００１９】
本発明の通信方法は、前記ＱｏＳ制御を行う前に、端末から前記データを受信し、通信速度制御及びフロー制御を行うステップを更に具備する。
【００２０】
本発明の通信方法は、前記伝送路帯域情報に基づいて前記データのデータフォーマット変換を行うステップを更に具備する。
【００２１】
本発明の通信方法は、複数の伝送路をまとめて１本の論理的伝送路とするため伝送路間の遅延時間補正処理を行うステップを更に具備する。
【００２２】
本発明の通信方法は、前記データを変復調するステップを更に具備する。
【００２３】
本発明の通信方法は、複数の伝送路帯域を確保するよう動作し、各伝送路状態に応じて前記伝送路帯域情報を生成するステップを更に具備する。
【００２４】
本発明のプログラムは、前記の通信方法を計算機に実行させる。
【発明の効果】
【００２５】
第１の効果は、伝送路帯域情報をＱｏＳ処理部に通知できる構成としているので、伝送路帯域に応じたＱｏＳ動作が人手を介さずに自動的にできることである。
第２の効果は、ＱｏＳ機能部分との伝送路帯域情報を装置内部でやり取りする手段を設けているので、装置及びシステムの小型化、低消費電力化、構成の簡素化、低コスト化ができることである。
【発明を実施するための最良の形態】
【００２６】
以下に、本発明の第１実施形態について添付図面を参照して説明する。
図２に示すように、本発明のＱｏＳ（Ｑｕａｌｉｔｙ  ｏｆ  Ｓｅｒｖｉｃｅ）機能付通信装置１０は、端末ＩＮＦ１１、ＱｏＳ処理部１２、ＩＮＦ変換部１３、伝送路ＩＮＦ部１４を備える。
端末ＩＮＦ１１は、インタフェース（ｉｎｔｅｒｆａｃｅ）の機能ブロックであり、少なくとも１つ存在し、外部の端末と１対１の通信を行う。端末ＩＮＦ１１と外部の端末との通信は有線、無線を問わない。ＱｏＳ処理部１２は、端末ＩＮＦ１１とデータの送受信を行う。端末ＩＮＦ１１が複数存在する場合、ＱｏＳ処理部１２は複数の端末ＩＮＦ１１と１対多の通信を行う。ＩＮＦ変換部１３は、ＱｏＳ処理部１２とデータの送受信を行う。なお、ＩＮＦ変換部１３の実装位置は、ＱｏＳ処理部１２に取り込んでも良いし、端末ＩＮＦ１１とＱｏＳ処理部１２の間としても良い。伝送路ＩＮＦ部１４は、ＩＮＦ変換部１３とデータの送受信を行う。また、伝送路の状態を監視し、伝送路の状態に応じた伝送路帯域を確保し、伝送路帯域情報を作成する。ＱｏＳ処理部１２及びＩＮＦ変換部１３は、伝送路ＩＮＦ部１４からの伝送路帯域情報を受信する。なお、伝送路（ｃｈａｎｎｅｌ）とは、コンピュータ間のデータ通信において、データを伝送するための経路をいう。伝送路には、アナログ信号を伝送するためのアナログ伝送路（Ａｎａｌｏｇ  ｃｈａｎｎｅｌ）と、デジタル信号を伝送するためのデジタル伝送路（Ｄｉｇｉｔａｌ  ｃｈａｎｎｅｌ）が存在する。また、伝送路は有線伝送路と無線伝送路に分けられる。有線伝送路は、ツイストペアケーブルや同軸ケーブル、光ファイバケーブルに代表される。無線伝送路は、電波、マイクロ波、光を用いる。なお、有線伝送路を用いる通信を有線通信、無線伝送路を用いる通信を無線通信という。
【００２７】
図２において、ｎ個（１〜ｎ）の端末ＩＮＦ１１は、それぞれ端末１〜ｎの各インタフェースを終端する。また、端末ＩＮＦ１１はＱｏＳ処理部１２からのＱｏＳ動作状態に関する情報に従い、通信速度制御及びフロー制御を行う。ＱｏＳ処理部１２は、伝送路ＩＮＦ部１４からの伝送路帯域情報をもとに端末ＩＮＦ１１からのデータに対し、ＱｏＳ制御をかける。例えば、外部の端末から受信したデータに優先順位が設定されていた場合、ＱｏＳ処理部１２は優先順位の低いデータを破棄して伝送路の帯域を確保するため、受信したデータの優先順位を判定する。ＩＮＦ変換部１３は、伝送路ＩＮＦ部１４からの伝送路帯域情報をもとに伝送路−端末間のデータフォーマット変換及び速度変換を行う。伝送路ＩＮＦ部１４は、伝送路インタフェースを終端すると同時に、伝送路状態を監視し、伝送路状態に応じた伝送路帯域を確保して動作し、確保した伝送路帯域の情報をＱｏＳ処理部１２及びＩＮＦ変換部１３に供給する。
【００２８】
次に、図２のＱｏＳ機能付通信装置１０の動作を図３を使用して説明する。
図２の伝送路ＩＮＦ部１４は、図３の表に示す７つの伝送路帯域で動作するものとする。
伝送路ＩＮＦ部１４は、１２８ｋｂｐｓ〜１０Ｍｂｐｓの７通りの伝送路帯域を確保するよう動作し、各伝送路状態に応じて伝送路帯域情報（１〜７）を生成してＱｏＳ処理部１２とＩＮＦ変換部７に供給する。ＱｏＳ処理部１２は、入力された伝送路帯域情報（１〜７）から利用可能な伝送路帯域を認識しＱｏＳ動作を行う。
【００２９】
図４に、第１実施形態における端末から伝送路へのデータの流れを示す。
端末ＩＮＦ１１は、外部の端末に接続されており、外部の端末からデータを受信する（ステップＳ１０１）。受信したデータに対して、ＱｏＳ処理部１２からのＱｏＳ動作状態に関する情報に従い、通信速度制御及びフロー制御を行う（ステップＳ１０２）。
また、伝送路ＩＮＦ部１４は、伝送路状態を監視し（ステップＳ１０３）、伝送路状態に応じた伝送路帯域を確保して動作し、確保した伝送路帯域の情報をＱｏＳ処理部１２及びＩＮＦ変換部１３に供給する（ステップＳ１０４）。
なお、ステップＳ１０３及びステップＳ１０４は、ステップＳ１０１及びステップＳ１０２よりも前に実施しても良い。
ＱｏＳ処理部１２は、端末ＩＮＦ１１からデータを受け取り、伝送路帯域情報に基づいてＱｏＳ制御を行う（ステップＳ１０５）。
ＩＮＦ変換部１３は、ＱｏＳ処理部１２からデータを受け取り、伝送路帯域情報に基づいてデータフォーマット変換及び速度変換を行う（ステップＳ１０６）。
伝送路ＩＮＦ部１４は、ＩＮＦ変換部１３からデータを受け取り、確保した伝送路帯域でデータを伝送路に送出する。
【００３０】
以下に、本発明の第２実施形態について添付図面を参照して説明する。
本発明の第２実施形態の基本的構成は、第１実施形態と同様であるが、具体的製品への適用事例を以下に示す。
本発明をバルク通信装置に応用した構成を図５に示す。なお、バルク通信とは複数の回線（伝送路）を同時に使って通信することである。
図５に示すように、バルク通信装置に応用したＱｏＳ機能付通信装置２０は、端末ＩＮＦ２１、ＱｏＳ処理部２２、バルク処理部２３、伝送路ＩＮＦ部２４を備える。
端末ＩＮＦ２１は、インタフェースの機能ブロックであり、少なくとも１つ存在し、外部の端末と１対１の通信を行う。ＱｏＳ処理部２２は、端末ＩＮＦ２１とデータの送受信を行う。端末ＩＮＦ２１が複数存在する場合、ＱｏＳ処理部２２は複数の端末ＩＮＦ２１と１対多の通信を行う。バルク処理部２３は、ＱｏＳ処理部２２とデータの送受信を行う。伝送路ＩＮＦ部２４は、少なくとも１つ存在し、バルク処理部２３とデータの送受信を行う。伝送路ＩＮＦ部２４が複数存在する場合、バルク処理部２３は複数の伝送路ＩＮＦ部２４と１対多の通信を行う。また、伝送路ＩＮＦ部２４は、外部の伝送路と１対１の通信を行う。なお、ＱｏＳ処理部２２は、バルク処理部２３からの伝送路帯域情報を受信する。
【００３１】
図５において、端末ＩＮＦ２１及びＱｏＳ処理部２２は、図２の端末ＩＮＦ１１及びＱｏＳ処理部１２と同様な働きをする。バルク処理部２３は、複数の伝送路をまとめて１本の論理的伝送路を構成するよう伝送路間の遅延時間補正処理を行う。ここでバルク処理部２３は、伝送路ＩＮＦ部２４と連携して伝送路状態の監視と、使用可能な伝送路の選択を行い、確保できた伝送路帯域の量を伝送路帯域情報としてＱｏＳ処理部２２に提供する。伝送路帯域情報を受け取ったＱｏＳ処理部２２では、伝送路帯域に応じたＱｏＳ動作を行う。このように、本実施例では、伝送路の状態に応じてＱｏＳ動作を制御できるので、与えられた伝送路帯域で最適なＱｏＳを自動で提供できるという効果が得られる。
【００３２】
図６に、第２実施形態における端末から伝送路へのデータの流れを示す。
端末ＩＮＦ２１は、外部の端末に接続されており、外部の端末からデータを受信する（ステップＳ２０１）。受信したデータに対して、ＱｏＳ処理部２２からのＱｏＳ動作状態に関する情報に従い、通信速度制御及びフロー制御を行う（ステップＳ２０２）。
また、伝送路ＩＮＦ部２４は、伝送路状態を監視し（ステップＳ２０３）、伝送路状態に応じた伝送路帯域を確保して動作し、確保した伝送路帯域の情報をバルク処理部２３に供給する（ステップＳ２０４）。
バルク処理部２３は、伝送路ＩＮＦ部２４と連携して伝送路状態の監視と、使用可能な伝送路の選択を行い、確保できた伝送路帯域の量を伝送路帯域情報としてＱｏＳ処理部２２に提供する（ステップＳ２０５）。
なお、ステップＳ２０３、ステップＳ２０４及びステップＳ２０５は、ステップＳ２０１及びステップＳ２０２よりも前に実施しても良い。
ＱｏＳ処理部２２は、端末ＩＮＦ２１からデータを受け取り、伝送路帯域情報に基づいてＱｏＳ制御を行う（ステップＳ２０６）。
バルク処理部２３は、ＱｏＳ処理部２２からデータを受け取り、複数の伝送路をまとめて１本の論理的伝送路を構成するよう伝送路間の遅延時間補正処理を行う（ステップＳ２０７）。
伝送路ＩＮＦ部２４は、バルク処理部２３からデータを受け取り、確保した伝送路帯域でデータを伝送路に送出する（ステップＳ２０８）。
【００３３】
以下に、本発明の第３実施形態について添付図面を参照して説明する。
本発明をｘＤＳＬモデム装置に応用した構成を図７に示す。
図７に示すように、ｘＤＳＬモデム装置に応用したＱｏＳ機能付通信装置３０は、端末ＩＮＦ３１、ＱｏＳ処理部３２、ＭＯＤＥＭ部３３、伝送路ＩＮＦ部３４を備える。
端末ＩＮＦ３１は、インタフェースの機能ブロックであり、少なくとも１つ存在し、外部の端末と１対１の通信を行う。ＱｏＳ処理部３２は、端末ＩＮＦ３１とデータの送受信を行う。端末ＩＮＦ３１が複数存在する場合、ＱｏＳ処理部３２は複数の端末ＩＮＦ３１と１対多の通信を行う。ＭＯＤＥＭ部３３は、ＱｏＳ処理部３２とデータの送受信を行う。伝送路ＩＮＦ部３４は、ＭＯＤＥＭ部３３とデータの送受信を行う。なお、ＱｏＳ処理部３２は、ＭＯＤＥＭ部３３からの伝送路帯域情報を受信する。
【００３４】
図７において、端末ＩＮＦ３１及びＱｏＳ処理部３２は、図２の端末ＩＮＦ１１及びＱｏＳ処理部１２と同様な働きをする。ＭＯＤＥＭ部３３は、データを変復調する。例えば、コンピュータの情報をアナログ伝送路である電話回線網を用いて伝送する場合、デジタル信号をアナログ信号に変換する。なお、デジタル信号をアナログ信号へと変換することを変調という。また、信号から元の情報を復元する動作を復調という。ＭＯＤＥＭとは、変調機（ｍｏｄｕｌａｔｏｒ）と復調機（ｄｅｍｏｄｕｌａｔｏｒ）の双方の機能を持つ機器である。また、ＭＯＤＥＭ部３３は、伝送路ＩＮＦ部３４と連携して伝送路状態の監視を行い、確保できた伝送路帯域の量を伝送路帯域情報としてＱｏＳ処理部３２に提供する。伝送路帯域情報を受け取ったＱｏＳ処理部３２では、伝送路帯域に応じたＱｏＳ動作を行う。このように、本実施例では、伝送路の状態に応じてＱｏＳ動作を制御できるので、与えられた伝送路帯域で最適なＱｏＳを自動で提供できるという効果が得られる。
【００３５】
図８に、第３実施形態における端末から伝送路へのデータの流れを示す。
端末ＩＮＦ３１は、外部の端末に接続されており、外部の端末からデータを受信する（ステップＳ３０１）。受信したデータに対して、ＱｏＳ処理部３２からのＱｏＳ動作状態に関する情報に従い、通信速度制御及びフロー制御を行う（ステップＳ３０３）。
また、伝送路ＩＮＦ部３４は、伝送路状態を監視し（ステップＳ３０３）、伝送路状態に応じた伝送路帯域を確保して動作し、確保した伝送路帯域の情報をＭＯＤＥＭ部３３に供給する（ステップＳ３０４）。
ＭＯＤＥＭ部３３は、伝送路ＩＮＦ部３４と連携して伝送路状態の監視と、使用可能な伝送路の選択を行い、確保できた伝送路帯域の量を伝送路帯域情報としてＱｏＳ処理部３２に提供する（ステップＳ３０５）。
なお、ステップＳ３０３、ステップＳ３０４及びステップＳ３０５は、ステップＳ３０１及びステップＳ３０３よりも前に実施しても良い。
ＱｏＳ処理部３２は、端末ＩＮＦ３１からデータを受け取り、伝送路帯域情報に基づいてＱｏＳ制御を行う（ステップＳ３０６）。
ＭＯＤＥＭ部３３は、データを変復調する（ステップＳ３０７）。
伝送路ＩＮＦ部３４は、ＭＯＤＥＭ部３３からデータを受け取り、確保した伝送路帯域でデータを伝送路に送出する（ステップＳ３０８）。
【００３６】
以下に、本発明の特徴について説明する。
従来のＱｏＳをサポートする通信システムでは、回線の伝送容量が変化した場合、ＱｏＳ装置に具体的な伝送路帯域情報を通知する手段が無いために、伝送路帯域に応じたＱｏＳ制御を自動的に行うことができず、帯域変更の都度、人手による設定変更作業が必要であった。
【００３７】
本発明のＱｏＳ機能付通信装置では、伝送路ＩＮＦ部からＱｏＳ処理部に伝送路帯域情報を提供する手段を備えた。
【００３８】
本発明は、回線状態によって伝送路帯域が変化する回線に接続されるＱｏＳ機能付通信装置において、伝送路帯域の変化に応じて伝送路帯域情報をＱｏＳ機能部へ通知し、それを受け取ったＱｏＳ機能部は、ＱｏＳ動作モードを動的に変化させることによって、適切なＱｏＳをサポートすることを特徴としている。
【図面の簡単な説明】
【００３９】
【図１】図１は、従来のＱｏＳをサポートする通信システムを示すブロック図である。
【図２】図２は、本発明の第１実施形態のＱｏＳ機能付き通信装置を示すブロック図である。
【図３】図３は、本発明の動作の説明に使用するテーブル図である。
【図４】図４は、本発明の第１実施形態のデータの流れを示すシーケンス図である。
【図５】図５は、本発明の第２実施形態のＱｏＳ機能付き通信装置を示すブロック図である。
【図６】図６は、本発明の第２実施形態のデータの流れを示すシーケンス図である。
【図７】図７は、本発明の第３実施形態のＱｏＳ機能付き通信装置を示すブロック図である。
【図８】図８は、本発明の第３実施形態のデータの流れを示すシーケンス図である。
【符号の説明】
【００４０】
１…  通信装置
２…  ＱｏＳ（Ｑｕａｌｉｔｙ  ｏｆ  Ｓｅｒｖｉｃｅ）装置
３…  端末ＩＮＦ（インタフェース）
４…  ＩＮＦ変換部
５…  伝送路ＩＮＦ
１０…  ＱｏＳ機能付通信装置
１１…  端末ＩＮＦ
１２…  ＱｏＳ処理部
１３…  ＩＮＦ変換部
１４…  伝送路ＩＮＦ
２０…  ＱｏＳ機能付通信装置
２１…  端末ＩＮＦ
２２…  ＱｏＳ処理部
２３…  バルク処理部
２４…  伝送路ＩＮＦ
３０…  ＱｏＳ機能付通信装置
３１…  端末ＩＮＦ
３２…  ＱｏＳ処理部
３３…  ＭＯＤＥＭ部
３４…  伝送路ＩＮＦ
【図１】
2006245952.tif 000003
【図２】
2006245952.tif 000004
【図３】
2006245952.tif 000005
【図４】
2006245952.tif 000006
【図５】
2006245952.tif 000007
【図６】
2006245952.tif 000008
【図７】
2006245952.tif 000009
【図８】
2006245952.tif 000010